(57)【要約】      （修正有）【課題】ユーザへの学習問題データの送信を効果的に行うことができる学習システム、学習方法、及び装着デバイスを提供する。【解決手段】ユーザの身体の一部に装着可能な装着デバイス１０と、学習問題データを格納する学習問題データベース２０３と、学習問題データベース２０３に格納される学習問題データを装着デバイス１０に向けて送信する学習問題送信部２０２を備え、装着デバイス１０は、装着デバイス１０周りの照度を検出する照度センサ１０１と、照度センサ１０１の検出結果に基づいて装着デバイス１０への学習問題データの送信を要求する要求送信部１０２と、要求送信部１０２による要求の送信に応じて学習問題送信部２０２から送信される学習問題データに基づいて学習問題を表示する表示部１０４を備える。【選択図】図２
2015191138.tif 000002
【特許請求の範囲】
【請求項１】
ユーザの身体の一部に装着可能な装着デバイスと、
学習問題データを格納する学習問題データベースと、
前記学習問題データベースに格納される前記学習問題データを前記装着デバイスに向けて送信する学習問題送信手段と、を備える学習システムであって、
前記装着デバイスは、
前記装着デバイス周りの照度を検出する照度検出手段と、
前記照度検出手段の検出結果に基づいて前記装着デバイスへの前記学習問題データの送信を要求する要求送信手段と、
前記要求送信手段による前記要求の送信に応じて前記学習問題送信手段から送信される前記学習問題データに基づいて学習問題を表示する表示手段と、を備える学習システム。
【請求項２】
前記学習問題に対する前記ユーザの解答の入力を受け付ける入力受付手段と、
前記入力受付手段によって受け付けられた前記ユーザの解答の正誤を判定する正誤判定手段と、
前記正誤判定手段による判定結果に基づいて前記学習問題送信手段から前記装着デバイスに前記学習問題データを送信するタイミングを決定するタイミング決定手段と、を更に備えた請求項１記載の学習システム。
【請求項３】
前記タイミング決定手段は、前記学習問題送信手段が前記学習問題データを送信してから所定の時間内に前記入力受付手段が前記ユーザの解答の入力を受け付けなかった場合に、当該学習問題データの再送信のタイミングの優先度を前記ユーザが正解した学習問題データの優先度よりも高く設定する請求項２記載の学習システム。
【請求項４】
前記装着デバイスは、
前記ユーザが前記装着デバイスを装着しているか否かを判断する装着判断手段を更に備え、
前記学習問題送信手段は、前記装着判断手段によって前記ユーザが前記装着デバイスを装着していると判断された場合に、前記学習問題データを前記装着デバイスに向けて送信する請求項１〜３のいずれか一項記載の学習システム。
【請求項５】
前記装着判断手段は、前記装着デバイスの加速度を検出する加速度検出手段を有している請求項４記載の学習システム。
【請求項６】
ユーザの身体の一部に装着可能な装着デバイスを用いた学習方法であって、
前記装着デバイス周りの照度を照度検出手段によって検出する照度検出ステップと、
前記照度検出手段の検出結果に基づいて前記装着デバイスへの学習問題データの送信を要求する送信要求ステップと、
前記要求の送信に応じて、学習問題データベースに格納される学習問題データを前記装着デバイスに向けて送信する学習問題送信ステップと、
前記学習問題データに基づいて前記装着デバイスの表示手段に学習問題を表示する表示ステップと、を備えた学習方法。
【請求項７】
ユーザの身体の一部に装着可能な装着デバイスであって、
前記装着デバイス周りの照度を検出する照度検出手段と、
前記照度検出手段の検出結果に基づいて、外部の学習問題データベース側に前記装着デバイスへの学習問題データの送信を要求する要求送信手段と、
前記要求送信手段による前記要求の送信に応じて前記学習問題データベース側から送信される前記学習問題データに基づいて学習問題を表示する表示手段と、を備える装着デバイス。
【請求項８】
前記ユーザが前記装着デバイスを装着しているか否かを判断する装着判断手段と、
前記装着判断手段における判断結果を前記学習問題データベース側に送信する判断結果送信手段と、を更に備える請求項７記載の装着デバイス。
【発明の詳細な説明】
【技術分野】
【０００１】
本発明は、学習システム、学習方法、及び装着デバイスに関する。
【背景技術】
【０００２】
従来、携帯電話機といった移動端末に対して所定の条件でコンテンツを配信するシステムがある。例えば特許文献１に記載のコンテンツ配信システムでは、移動端末の位置情報と在圏時刻とに基づいて、算出された在圏時間が所定の閾値以上である場合に、ユーザ属性と移動端末の位置情報とに対応する広告データを移動端末に送信するようになっている。また、例えば特許文献２に記載のコンテンツ配信サーバは、携帯電話機の現在位置及び現在時刻等を取得し、配信可能なコンテンツデータを一定の禁止事項を加えた上で携帯電話機側に送信するようになっている。
【先行技術文献】
【特許文献】
【０００３】
【特許文献１】特開２０１０−２５１９５０号公報
【特許文献２】特開２０１０−０４４６４２号公報
【発明の概要】
【発明が解決しようとする課題】
【０００４】
ところで、近年では、プロセッサ、高周波回路部品、各種センサの小型化・省電力化が進み、ユーザの腕部や頭部などに装着可能な装着デバイスの開発が盛んになってきている。現状、このような装着デバイスを利用したシステムは、スポーツ関連やヘルスケア関連のものが多く、学習関連への展開が望まれる。また、学習関連への展開にあたっては、装着デバイスを用いることの利点を活かし、効果的な学習問題データの送信を行うことが課題となる。
【０００５】
本発明は、上記課題の解決のためになされたものであり、ユーザへの学習問題データの送信を効果的に行うことができる学習システム、学習方法、及び装着デバイスを提供することを目的とする。
【課題を解決するための手段】
【０００６】
上記課題の解決のため、本発明に係る学習システムは、ユーザの身体の一部に装着可能な装着デバイスと、学習問題データを格納する学習問題データベースと、学習問題データベースに格納される学習問題データを装着デバイスに向けて送信する学習問題送信手段と、を備える学習システムであって、装着デバイスは、装着デバイス周りの照度を検出する照度検出手段と、照度検出手段の検出結果に基づいて装着デバイスへの学習問題データの送信を要求する要求送信手段と、要求送信手段による要求の送信に応じて学習問題送信手段から送信される学習問題データに基づいて学習問題を表示する表示手段と、を備える。
【０００７】
この学習システムでは、装着デバイス周りの照度に基づいて、予め定められた照度の検出結果を契機として、ユーザが装着する装着デバイス側に学習問題データが送信される。したがって、ユーザが所望するタイミングで学習問題データが装着デバイスに送信されるので、効果的に学習を行うことが可能となる。
【０００８】
また、学習問題に対するユーザの解答の入力を受け付ける入力受付手段と、入力受付手段によって受け付けられたユーザの解答の正誤を判定する正誤判定手段と、正誤判定手段による判定結果に基づいて学習問題送信手段から装着デバイスに学習問題データを送信するタイミングを決定するタイミング決定手段と、を更に備えていてもよい。この場合、学習問題に対する解答の正誤に基づく最適なタイミングで学習問題データの送信がなされるので、一層効果的に学習を行うことが可能となる。
【０００９】
また、タイミング決定手段は、学習問題送信手段が学習問題データを送信してから所定の時間内に入力受付手段がユーザの解答の入力を受け付けなかった場合に、当該学習問題データの再送信のタイミングの優先度をユーザが正解した学習問題データの優先度よりも高く設定してもよい。この場合、ユーザが未知の学習問題データの再送信のタイミングの優先度が高まるので、一層効果的に学習を行うことが可能となる。
【００１０】
また、装着デバイスは、ユーザが装着デバイスを装着しているか否かを判断する装着判断手段を更に備え、学習問題送信手段は、装着判断手段によってユーザが装着デバイスを装着していると判断された場合に、学習問題データを装着デバイスに向けて送信してもよい。これにより、ユーザが装着デバイスを装着していないときに学習問題データが送信されることを抑止でき、一層効果的に学習を行うことが可能となる。
【００１１】
また、装着判断手段は、装着デバイスの加速度を検出する加速度検出手段を有していてもよい。この場合、ユーザが装着デバイスを装着しているか否かを精度良く判断できる。
【００１２】
また、本発明に係る学習方法は、ユーザの身体の一部に装着可能な装着デバイスを用いた学習方法であって、装着デバイス周りの照度を照度検出手段によって検出する照度検出ステップと、照度検出手段の検出結果に基づいて装着デバイスへの学習問題データの送信を要求する送信要求ステップと、要求の送信に応じて、学習問題データベースに格納される学習問題データを装着デバイスに向けて送信する学習問題送信ステップと、学習問題データに基づいて装着デバイスの表示手段に学習問題を表示する表示ステップと、を備える。
【００１３】
この学習方法では、装着デバイス周りの照度に基づいて、予め定められた照度の検出を契機として、ユーザが装着する装着デバイス側に学習問題データが送信される。したがって、ユーザが所望するタイミングで学習問題データが装着デバイスに送信されるので、効果的に学習を行うことが可能となる。
【００１４】
また、本発明に係る装着デバイスは、ユーザの身体の一部に装着可能な装着デバイスであって、装着デバイス周りの照度を検出する照度検出手段と、照度検出手段の検出結果に基づいて、外部の学習問題データベース側に装着デバイスへの学習問題データの送信を要求する要求送信手段と、要求送信手段による要求の送信に応じて学習問題データベース側から送信される学習問題データに基づいて学習問題を表示する表示手段と、を備える。
【００１５】
この装着デバイスでは、周囲の照度に基づいて、予め定められた照度の検出結果を契機として外部の学習問題データベースに学習問題データの送信を要求し、学習問題データベースから送信される学習問題データに基づく学習問題を表示する。これにより、ユーザが所望するタイミングで学習問題が表示されるので、効果的に学習を行うことが可能となる。
【００１６】
また、装着デバイスは、ユーザが装着デバイスを装着しているか否かを判断する装着判断手段と、装着判断手段における判断結果を学習問題データベース側に送信する判断結果送信手段と、を更に備えていてもよい。これにより、ユーザが装着デバイスを装着しているか否かの判断結果を学習問題データベース側に把握させることができる。したがって、ユーザが装着デバイスを装着していないときに学習問題データが送信されることを抑止でき、一層効果的に学習を行うことが可能となる。
【発明の効果】
【００１７】
本発明によれば、ユーザへの学習問題データの送信を効果的に行うことができる。
【図面の簡単な説明】
【００１８】
【図１】本発明の一実施形態に係る学習システムの構成を示す図である。
【図２】図１に示した学習システムの機能的な構成要素を示す図である。
【図３】学習問題データベースに格納される情報の一例を示す図である。
【図４】タイミング決定部が保有するタイミング決定テーブルの一例を示す図である。
【図５】図１に示した学習システムの動作を示すシーケンス図である。
【図６】図１に示した学習システムの別の動作を示すシーケンス図である。
【発明を実施するための形態】
【００１９】
以下、図面を参照しながら、本発明に係る学習システム、学習方法、及び装着デバイスの好適な実施形態について詳細に説明する。
【００２０】
図１は、本発明の一実施形態に係る学習システムの構成を示す図である。同図に示すように、学習システム１は、例えばユーザの手首に装着可能な装着デバイス１０と、ユーザが所有する携帯端末２０とを備えている。この学習システム１は、所定のタイミングで携帯端末２０から装着デバイス１０に学習問題を送信する機能を有している。
【００２１】
装着デバイス１０は、例えばバンド型の本体部を有している。本体部の外側面には、例えばタッチパネルディスプレイなどによって構成される表示部１０４が設けられている。また、表示部１０４の左隣りには、例えばジョグダイヤルや押釦などによって構成される操作部１０５が設けられている。装着デバイス１０は、例えばＢｌｕｅｔｏｏｔｈ（登録商標）などの近距離無線通信により、携帯端末２０との間で互いに情報通信可能となっている。
【００２２】
携帯端末２０は、物理的には、ＣＰＵ（中央処理装置）、メモリといった記憶装置、プッシュボタンといった入力装置、ディスプレイといった表示装置等を有している。また、通話機能に加え、ＷＥＢページに接続して閲覧する機能、電子メール送信機能等を含む各種データ通信機能等を有している。
【００２３】
図２は、学習システム１の機能的な構成要素を示すブロック図である。同図に示すように、装着デバイス１０は、照度センサ（照度検出手段）１０１と、要求送信部（要求送信手段）１０２と、学習問題受信部１０３と、表示部（表示手段）１０４と、操作部１０５と、解答送信部１０６と、結果受信部１０７と、装着判断部（装着判断手段、判断結果送信手段）１０８とを有している。
【００２４】
照度センサ１０１は、装着デバイス１０周りの照度を検出する部分である。本実施形態では、照度センサ１０１は、例えば表示部１０４の右隣りに配置されており、例えばユーザが照度センサ１０１を指でダブルタップしたときの明暗パターンを検出する。照度センサ１０１は、明暗パターンを検出したときに検出結果を示す検出結果情報を生成し、要求送信部１０２に出力する。
【００２５】
要求送信部１０２は、照度センサ１０１の検出結果に基づいて装着デバイス１０への学習問題データの送信を要求する部分である。要求送信部１０２は、照度センサ１０１から検出結果情報を受け取った場合に、学習問題データの送信を要求する要求情報を携帯端末２０に送信する。
【００２６】
学習問題受信部１０３は、要求送信部１０２による要求情報の送信に応じて携帯端末２０から送信される学習問題データを受信する部分である。学習問題受信部１０３は、受信した学習問題データに基づく内容の学習問題を表示部１０４に表示させる。
【００２７】
操作部１０５は、ユーザによる操作を受け付ける部分である。操作部１０５は、上述したように例えばジョグダイヤルや押釦などによって構成され、表示部１０４に表示された問題を参照したユーザが操作部１０５を操作することによって問題に対する解答を入力できるようになっている。操作部１０５によって入力された解答を示す解答情報は、解答送信部１０６に出力され、解答送信部１０６によって携帯端末２０に送信される。
【００２８】
結果受信部１０７は、解答送信部１０６による解答情報の送信に応じて携帯端末２０から送信される結果情報を受信する部分である。結果受信部１０７は、受信した結果情報に基づいて、学習問題に対する解答の正誤を表示部１０４に表示させる。
【００２９】
装着判断部１０８は、ユーザが装着デバイス１０を装着しているか否かを判断する部分である。より具体的には、装着判断部１０８は、装着デバイス１０の加速度を検出する加速度センサ（加速度検出手段）１０９を有している。装着判断部１０８は、加速度センサ１０９から受け取った検出結果に基づいて、ユーザが装着デバイス１０を装着しているか否かを判断する。
【００３０】
より具体的には、装着判断部１０８は、加速度センサ１０９によって装着デバイス１０の加速度が検出された場合に、ユーザが装着デバイス１０を装着していると判断し、加速度センサ１０９によって装着デバイス１０の加速度が検出されない時間が所定の閾値を超えた場合に、ユーザが装着デバイス１０を装着していないと判断する。そして、装着判断部１０８は、判断結果を示す結果情報を携帯端末２０に送信する。
【００３１】
一方、携帯端末２０は、要求受信部２０１と、学習問題送信部（学習問題送信手段）２０２と、学習問題データベース２０３と、解答受信部（入力受付手段）２０４と、正誤判定部（正誤判定手段）２０５と、結果送信部２０６と、タイミング決定部（タイミング決定手段）２０７とを有している。
【００３２】
要求受信部２０１は、学習問題データの送信を要求する要求情報を装着デバイス１０から受信する部分である。要求受信部２０１は、受信した要求情報を学習問題送信部２０２に出力する。
【００３３】
学習問題送信部２０２は、学習問題データを装着デバイス１０に向けて送信する部分である。より具体的には、学習問題送信部２０２は、要求受信部２０１から要求情報を受け取ると、学習問題データベース２０３を参照し、学習問題データベース２０３に格納される学習問題データを抽出する。学習問題送信部２０２は、抽出した学習問題データを装着デバイス１０に送信する。
【００３４】
図３は、学習問題データベース２０３に格納される学習問題データの一例を示す図である。同図に示す例では、「英単語１」として「Ｅｖａｐｏｒａｔｅ」が例示され、選択肢Ａ「蒸発する」、選択肢Ｂ「熱望する」、選択肢Ｃ「教育する」、選択肢Ｄ「辞任する」の４つの選択肢と、正解である「Ａ」とが関連付けられて格納されている。また、「日単語１」として、「蒸発する」が例示され、選択肢Ａ「ｅｄｕｃａｔｅ」、選択肢Ｂ「ｅｖａｐｏｒａｔｅ」、選択肢Ｃ「ｒｅｓｉｇｎ」、選択肢Ｄ「ｄｅｓｉｒｅ」の４つの選択肢と、正解である「Ｂ」とが関連付けられて格納されている。
【００３５】
また、学習問題送信部２０２は、タイミング決定部２０７から指示情報を受け取った場合には、要求送信部１０２からの要求情報に応じたタイミングとは別に、指示情報に基づくタイミングで学習問題データベース２０３に格納される学習問題データを抽出し、装着デバイス１０に送信する。タイミング決定部２０７の処理については後述する。
【００３６】
解答受信部２０４は、学習問題に対するユーザの解答の入力を受け付ける部分である。解答受信部２０４は、装着デバイス１０から学習問題に対する解答情報を受信し、正誤判定部２０５に出力する。また、解答受信部２０４は、学習問題送信部２０２が装着デバイス１０に学習問題データを送信してから所定の時間内に装着デバイス１０から解答情報を受信しなかった場合には、学習問題に対してユーザが未回答である旨を示す未回答情報をタイミング決定部２０７に出力する。
【００３７】
正誤判定部２０５は、ユーザの解答の正誤を判定する部分である。正誤判定部２０５は、解答受信部２０４から解答情報を受け取ると、当該解答情報に基づいて学習問題データベース２０３を参照し、ユーザの解答の正誤を判断する。正誤判定部２０５は、判断結果を示す結果情報を結果送信部２０６とタイミング決定部２０７とにそれぞれ出力する。結果送信部２０６は、正誤判定部２０５から受け取った解答の正誤の判断結果を携帯端末２０に送信する。
【００３８】
タイミング決定部２０７は、正誤判定部２０５による判定結果に基づいて装着デバイス１０に学習問題データを送信するタイミングを決定する部分である。より具体的には、タイミング決定部２０７は、正誤判定部２０５から受け取った判断結果情報及び解答受信部２０４から受け取った未回答情報に基づくタイミング決定テーブルを保有している。
【００３９】
図４は、タイミング決定部が保有するタイミング決定テーブルの一例を示す図である。同図に示す例では、学習問題ごとに、前回の学習日（学習問題情報の送信日）と、前回の学習結果と、次回の送信タイミングとが関連付けられて格納されている。このタイミング決定テーブルでは、不正解であった学習問題の再送信のタイミングの優先度が、正解であった学習問題の再送信のタイミングの優先度よりも高く設定されている。また、未回答であった学習問題データの再送信のタイミングの優先度が、正解であった学習問題データの優先度よりも高く設定されている。ここでいう優先度の高さとは、例えば前回の学習日から再送信のタイミングまでの時間間隔の短さを指している。
【００４０】
例えば英単語１については、前回の学習日が「今日」、前回の学習結果が「不正解」となっており、再送信のタイミングが「１日後」となっている（再送信までの期間が１日）。英単語２については、前回の学習日が「２日前」、前回の学習結果が「未回答」となっており、再送信のタイミングが「２日後」となっている（再送信までの期間が４日）。
【００４１】
日単語１については、前回の学習日が「３日前」、前回の学習結果が「正解」となっており、再送信のタイミングが「２日後」となっている（再送信までの期間が５日）。日単語２については、前回の学習日が「１日前」、前回の学習結果が「不正解」となっており、再送信のタイミングが「今日」となっている（再送信までの期間が１日）。
【００４２】
タイミング決定部２０７は、タイミング決定テーブルにおいて再送信のタイミングが到来した学習問題データの送信を指示する指示情報を生成し、学習問題送信部２０２に出力する。
【００４３】
また、タイミング決定部２０７は、ユーザが装着デバイス１０を装着しているか否かの判断結果を示す結果情報を装着デバイス１０の装着判断部１０８から受信する。タイミング決定部２０７は、ユーザが装着デバイス１０を装着している旨の結果情報を受け取った場合に上述した指示情報を学習問題送信部２０２に出力し、ユーザが装着デバイス１０を装着していない旨の結果情報を受け取った場合には、学習問題送信部２０２への指示情報の出力を行わない。
【００４４】
続いて、上述した学習システム１の動作について説明する。図５及び図６は、学習システム１の動作を示すシーケンス図である。
【００４５】
この学習システム１は、ユーザが装着デバイス１０に所定の操作を契機として装着デバイス１０に学習問題データを送信するＰｕｌｌ型の送信処理と、ユーザによる装着デバイス１０の操作の有無に関わらず所定のタイミングで装着デバイス１０に学習問題データを送信するＰｕｓｈ型の送信処理の双方を実行するようになっている。
【００４６】
Ｐｕｌｌ型の送信処理では、図５に示すように、まず、装着デバイス１０周りの照度の検出がなされる（ステップＳ０１）。ここで、ユーザによる照度センサ１０１のダブルタップが検出されると、装着デバイス１０から携帯端末２０に向けて学習問題データの要求が送信される（ステップＳ０２）。学習問題データの要求を受信した携帯端末２０では、学習問題データベース２０３が参照され（ステップＳ０３）、学習問題データベース２０３から抽出された学習問題データが装着デバイス１０に送信される（ステップＳ０４）。
【００４７】
学習問題データを受信した携帯端末２０では、学習問題が表示部１０４に表示される（ステップＳ０５）。そして、装着デバイス１０では、操作部１０５による解答の入力が受け付けられ（ステップＳ０６）、入力された解答が装着デバイス１０から携帯端末２０に送信される（ステップＳ０７）。解答を受信した携帯端末２０では、学習問題データベース２０３が参照され（ステップＳ０８）、解答結果が携帯端末２０から装着デバイス１０に送信される（ステップＳ０９）。装着デバイス１０では、表示部１０４に解答結果が表示され（ステップＳ１０）、携帯端末２０では、解答結果に基づくタイミング決定テーブルの更新がなされる（ステップＳ１１）。
【００４８】
Ｐｕｓｈ型の送信処理では、図６に示すように、まず、携帯端末２０側でタイミング決定テーブルの参照がなされ（ステップＳ２１）、送信すべき学習問題データが決定される。次に、ユーザが装着デバイス１０を装着しているか否かの確認を行う（ステップＳ２２）。ユーザが装着デバイス１０を装着していることが確認された場合、学習問題データベース２０３が参照され（ステップＳ２３）、再送信のタイミングとなった学習問題データが携帯端末２０から装着デバイス１０に送信される（ステップＳ２４）。
【００４９】
学習問題データを受信した携帯端末２０では、学習問題が表示部１０４に表示される（ステップＳ２５）。そして、装着デバイス１０では、操作部１０５による解答の入力が受け付けられ（ステップＳ２６）、入力された解答が装着デバイス１０から携帯端末２０に送信される（ステップＳ２７）。解答を受信した携帯端末２０では、学習問題データベース２０３が参照され（ステップＳ２８）、解答結果が携帯端末２０から装着デバイス１０に送信される（ステップＳ２９）。装着デバイス１０では、表示部１０４に解答結果が表示され（ステップＳ３０）、携帯端末２０では、解答結果に基づくタイミング決定テーブルの更新がなされる（ステップＳ３１）。
【００５０】
以上説明したように、この学習システム１では、装着デバイス１０周りの照度に基づいて、予め定められた照度の検出結果を契機として、ユーザが装着する装着デバイス１０側に学習問題データが送信される。したがって、ユーザが所望するタイミングで学習問題データが装着デバイス１０に送信されるので、効果的に学習を行うことが可能となる。
【００５１】
また、学習システム１では、学習問題に対するユーザの解答の入力を受け付け、ユーザの解答の正誤の判定結果に基づいて装着デバイス１０に学習問題データを送信するタイミングを決定している。このような処理により、学習問題に対する解答の正誤に基づいて最適なタイミングで学習問題データの送信がなされるので、一層効果的に学習を行うことが可能となる。
【００５２】
また、学習システム１では、学習問題データを送信してから所定の時間内にユーザからの解答の入力を受け付けなかった場合に、当該学習問題データの再送信のタイミングの優先度をユーザが正解した学習問題データの優先度よりも高く設定している。したがって、ユーザが未知の学習問題データの再送信のタイミングの優先度が高まるので、一層効果的に学習を行うことが可能となる。
【００５３】
また、学習システム１では、ユーザが装着デバイス１０を装着しているか否かを判断し、ユーザが装着デバイス１０を装着していると判断された場合に、学習問題データを装着デバイス１０に向けて送信するようになっている。これにより、ユーザが装着デバイス１０を装着していないときに学習問題データが送信されることを抑止でき、一層効果的に学習を行うことが可能となる。
【００５４】
また、学習システム１では、装着デバイス１０に設けた加速度センサ１０９によってユーザが装着デバイス１０を装着しているか否かを判断している。このため、ユーザが装着デバイス１０を装着しているか否かを精度良く判断できる。
【００５５】
本発明は、上記実施形態に限られるものではない。例えば上記実施形態では、Ｐｕｓｈ型及びＰｕｌｌ型の学習問題データの送信を行っているが、Ｐｕｌｌ型のみの学習問題データの送信を行うようにしてもよい。また、上記実施形態では、携帯端末２０から装着デバイス１０に学習問題データを送信する構成となっているが、携帯端末２０の各構成要素をネットワーク上のサーバ等に設け、当該サーバから装着デバイス１０に学習問題データを送信する構成としてもよい。
【００５６】
また、上記実施形態では、Ｐｕｌｌ型での学習問題を要求するトリガとして、ユーザが照度センサ１０１を指でダブルタップしたときの明暗パターンの検出を例示したが、照度センサ１０１が所定の閾値以上の照度を検出したことをトリガとしてもよい。このような処理によれば、例えば装着デバイス１０を装着したユーザが起床時に部屋の電気を付けたときや、長袖シャツの中に隠れていた装着デバイス１０をユーザが視認したときなど、日常のシーンに合わせた学習問題データの送信が可能となる。
【符号の説明】
【００５７】
１…学習システム、１０…装着デバイス、２０…携帯端末、１０１…照度センサ（照度検出手段）、１０２…要求送信部（要求送信手段）、１０４…表示部（表示手段）、１０８…装着判断部（装着判断手段、判断結果送信手段）、１０９…加速度センサ（加速度検出手段）、２０２…学習問題送信部（学習問題送信手段）、２０３…学習問題データベース、２０４…解答受信部（入力受付手段）、２０５…正誤判定部（正誤判定手段）、２０７…タイミング決定部（タイミング決定手段）。
【図１】
2015191138.tif 000003
【図２】
2015191138.tif 000004
【図３】
2015191138.tif 000005
【図４】
2015191138.tif 000006
【図５】
2015191138.tif 000007
【図６】
2015191138.tif 000008